(57)【要約】【課題】改竄、偽造、複製が容易ではない識別媒体を提供する。【解決手段】識別媒体１は、対象物１１に積み重ねられる第１層１２１と第２層１２２からなる。第１層１２１には、インクで印刷された２次元コードが形成されている。第２層１２２には、所定の波長のレーザビームの反射率が所定の大きさの素材で印刷された２次元コードが形成されている。第１層１２１に印刷されるインクの色は、第２層１２２に印刷される素材の色と条件等色に設定される。また、第２層１２２にて素材が印刷される位置は、第２層１２２を第１層１２１に積み重ねた状態で、第１層１２１にてインクが印刷されていない位置の上方に設定される。【選択図】図２
2012173336.tif 000002
【特許請求の範囲】
【請求項１】
対象物の真正性を識別するための識別媒体であって、
前記対象物に積み重ねられる複数の層を備え、
各層には、カラー２次元コード又はホログラムが形成されていることを特徴とする識別媒体。
【請求項２】
各層には、白色光又は所定の波長のレーザビームによって読み取られる、前記対象物の真正性を識別する情報を記録したカラー２次元コード又はホログラムが形成されていることを特徴とする請求項１に記載の識別媒体。
【請求項３】
最上層の下方に位置する層には、前記対象物の真正性を識別する情報を記録したカラー２次元コードが形成されており、
前記最上層には、前記最上層の下方に位置する層の前記カラー２次元コードを隠蔽するカラー２次元コードが形成されていることを特徴とする請求項１に記載の識別媒体。
【請求項４】
各層を直下の層に貼り付ける接着剤を更に備え、
前記接着剤は、各層を直下の層から剥がすと、前記層と前記直下の層との再接着を妨げるような素材からなることを特徴とする請求項１に記載の識別媒体。
【請求項５】
対象物の真正性を識別するための識別媒体であって、
前記対象物に設けられる基層と、
前記基層に積み重ねられる複数の層と、
を備え、
前記基層には、インクで印刷されたカラー２次元コード、又は所定の波長のレーザビームを所定の方向に回折させるホログラムが形成されており、
前記複数の層の各々には、所定の波長のレーザビームの反射率が所定の大きさの素材で印刷されたカラー２次元コード、又は所定の波長のレーザビームを所定の方向に回折させるホログラムが形成されていることを特徴とする識別媒体。
【請求項６】
対象物の真正性を識別するための識別媒体であって、
前記対象物に積み重ねられる複数の層を備え、
前記複数の層のうちの少なくとも１つの層は、前記対象物の真正性を識別する情報を記録した凹凸面を有する第１部位と、前記凹凸面に噛み合う面を有する第２部位とに分離可能な情報層であり、
前記情報層から直上の層が剥がされるとき、前記第２部位は前記直上の層と一緒に剥がされて、前記第１部位の凹凸面が出現することを特徴とする識別媒体。
【発明の詳細な説明】
【技術分野】
【０００１】
本発明は、商品パッケージ、チケット、カード、金券、証書などの対象物の真正性を識別するための識別媒体に関する。
【背景技術】
【０００２】
実生活において、商品パッケージ、チケット、カード、金券、証書などの対象物に識別媒体を貼り付けて、その識別媒体を用いて対象物の真正性を識別する技術は日常的に利用されている。例えば、所定の認証情報をホログラムに記録したシートを対象物に予め貼り付けておき、対象物を使用するときに読取装置でホログラムに記録された情報を読み取り、読み取った情報を照合することで対象物の真正性を識別する技術が知られている。
【０００３】
識別媒体は対象物の真正性を識別するために使用されるため、識別媒体の改竄、偽造、複製が容易ではないことが重要である。上記の例のように、識別媒体としてホログラムを利用する場合、悪意の第三者がホログラムの悪用を試みるとすれば、以下の方法が考えられる。（１）ホログラムを形成したシートを真正の対象物から剥がして、偽造又は複製した対象物に貼り付ける。（２）真正の対象物に貼り付けられたシートに形成されたホログラム自体を偽造又は複製して、偽造又は複製した対象物に貼り付ける。
【０００４】
特許文献１，２はホログラムの悪用を防止する技術を開示している。具体的には、特許文献１では、ホログラムを形成したシートを対象物から剥がすと、シートが不規則に破れて、ホログラムを物理的に破壊する技術が提案されている。特許文献２では、ホログラムを形成したシートを対象物から剥がすと、そのシートの接着性が著しく低下する技術が提案されている。
【先行技術文献】
【特許文献】
【０００５】
【特許文献１】特許第３５７０５９３号
【特許文献２】実開平５−１６３００号公報
【発明の概要】
【発明が解決しようとする課題】
【０００６】
特許文献１の技術では、ホログラムを形成したシートを対象物から剥がすと、ホログラムを物理的に破壊するので、剥離したホログラムの再利用を防止することができる。また、特許文献１の技術では、ホログラムを形成したシートを対象物から剥がすと、不規則に破れたシートの一部が対象物に残るので、悪意の第三者がホログラムの悪用を試みた痕跡を容易に発見することができる。それゆえ、この技術はホログラムの悪用方法（１）への対応策として有効である。しかしながら、この技術は、ホログラム自体の偽造又は複製を困難にする技術ではないので、ホログラムの悪用方法（２）への対応策としては有効ではない。
【０００７】
同様に、特許文献２の技術では、ホログラムを形成したシートを対象物から剥がすと、そのシートの接着性が著しく低下するので、剥離したホログラムの再利用を防止することができる。それゆえ、この技術はホログラムの悪用方法（１）への対応策として有効である。しかしながら、この技術は、ホログラム自体の偽造又は複製を困難にする技術ではないので、ホログラムの悪用方法（２）への対応策としては有効ではない。
【０００８】
本発明は上記課題に解決するためになされたものであり、改竄、偽造、複製が容易ではない識別媒体を提供することを目的とする。
【課題を解決するための手段】
【０００９】
本発明の第１態様によれば、対象物（１１）の真正性を識別するための識別媒体（１２，１２ａ，１２ｂ，１２ｃ，１２ｄ，１２ｅ）であって、前記対象物（１１）に積み重ねられる複数の層（１２１，１２１ａ，１２１ｂ，１２１ｃ，１２１ｄ，１２１ｅ，１２２，１２２ａ，１２２ｂ，１２２ｃ，１２２ｄ，１２２ｅ，１２４ｄ，１２４ｅ）を備え、各層には、カラー２次元コード又はホログラムが形成されていることを特徴とする識別媒体（１２，１２ａ，１２ｂ，１２ｃ，１２ｄ，１２ｅ）を提供する。
【００１０】
本発明の第２態様によれば、第１態様に係る識別媒体（１２，１２ａ，１２ｂ，１２ｃ，１２ｄ，１２ｅ）であって、各層には、白色光又は所定の波長のレーザビームによって読み取られる、前記対象物（１１）の真正性を識別する情報を記録したカラー２次元コード又はホログラムが形成されている。
【００１１】
本発明の第３態様によれば、第１態様に係る識別媒体（１２，１２ｄ）であって、最上層（１２２，１２４ｄ）の下方に位置する層（１２１，１２１ｄ）には、前記対象物（１１）の真正性を識別する情報を記録したカラー２次元コードが形成されており、前記最上層（１２２，１２４ｄ）には、前記最上層（１２２，１２４ｄ）の下方に位置する層（１２１，１２１ｄ）の前記カラー２次元コードを隠蔽するカラー２次元コードが形成されている。
【００１２】
本発明の第４態様によれば、第１態様に係る識別媒体１２，１２ａ，１２ｂ，１２ｃ，１２ｄ，１２ｅ）であって、各層を直下の層に貼り付ける接着剤（１２３，１２３ａ，１２３ｂ，１２３ｃ，１２３ｄ＿１，１２３ｄ＿２，１２３ｅ＿１，１２３ｅ＿２）を更に備え、前記接着剤（１２３，１２３ａ，１２３ｂ，１２３ｃ，１２３ｄ＿１，１２３ｄ＿２，１２３ｅ＿１，１２３ｅ＿２）は、各層を直下の層から剥がすと、前記層と前記直下の層との再接着を妨げるような素材からなる。
【００１３】
本発明の第５態様によれば、対象物（１１）の真正性を識別するための識別媒体（１２，１２ａ，１２ｂ，１２ｃ，１２ｄ，１２ｅ）であって、前記対象物（１１）に設けられる基層（１２１，１２１ａ，１２１ｂ，１２１ｃ，１２１ｄ，１２１ｅ）と、前記基層（１２１，１２１ａ，１２１ｂ，１２１ｃ，１２１ｄ，１２１ｅ）に積み重ねられる複数の層（１２２，１２２ａ，１２２ｂ，１２２ｃ，１２２ｄ，１２２ｅ，１２４ｄ，１２４ｅ）と、を備え、前記基層（１２１，１２１ａ，１２１ｂ，１２１ｃ，１２１ｄ，１２１ｅ）には、インクで印刷されたカラー２次元コード、又は所定の波長のレーザビームを所定の方向に回折させるホログラムが形成されており、前記複数の層（１２２，１２２ａ，１２２ｂ，１２２ｃ，１２２ｄ，１２２ｅ，１２４ｄ，１２４ｅ）の各々には、所定の波長のレーザビームの反射率が所定の大きさの素材で印刷されたカラー２次元コード、又は所定の波長のレーザビームを所定の方向に回折させるホログラムが形成されていることを特徴とする識別媒体を提供する。
【００１４】
本発明の第６態様によれば、対象物（１１）の真正性を識別するための識別媒体（２２，２２ａ）であって、前記対象物（１１）に積み重ねられる複数の層（２２１，２２１ａ，２２２，２２２ａ，２２４ａ）を備え、前記複数の層（２２１，２２１ａ，２２２，２２２ａ，２２４ａ）のうちの少なくとも１つの層（２２１，２２２ａ）は、前記対象物（１１）の真正性を識別する情報を記録した凹凸面を有する第１部位（２２１＿１，２２２ａ＿１）と、前記凹凸面に噛み合う面を有する第２部位（２２１＿２，２２２ａ＿２）とに分離可能な情報層であり、前記情報層から直上の層（２２２，２２４ａ）が剥がされるとき、前記第２部位（２２１＿２，２２２ａ＿２）は前記直上の層（２２２，２２４ａ）と一緒に剥がされて、前記第１部位（２２１＿１，２２２ａ＿１）の凹凸面が出現することを特徴とする識別媒体を提供する。
【発明の効果】
【００１５】
本発明によれば、改竄、偽造、複製が容易ではない識別媒体を提供することができる。
【図面の簡単な説明】
【００１６】
【図１】本発明の第１実施形態に係る読取装置の構成を示すブロック図である。
【図２】本発明の第１実施形態に係る識別媒体の構成を示す断面図である。
【図３】図２に示した識別媒体の第１層と第２層の１次元コードのビット列を示した説明図である。
【図４】本発明の第１実施形態に係る識別媒体の第１層に形成された２次元コードの平面図である。
【図５】本発明の第１実施形態に係る識別媒体の第２層に形成された２次元コードの平面図である。
【図６】本発明の第１実施形態に係る識別媒体の第１層と第２層を重ね合わせた状態での識別媒体の２次元コードの平面図である。
【図７】各波長のレーザビームをシリコン化合物の薄膜に照射したときのレーザビームの反射率を示したグラフである。
【図８】本発明の第１実施形態に係る識別媒体の読取方法を説明するフローチャートである。
【図９】各波長のレーザビームをシリコン化合物の薄膜に照射したときのレーザビームの透過率を示したグラフである。
【図１０】シリコン化合物の各膜厚に対する青色レーザビームの反射率と赤色レーザビームの透過率を示したグラフである。
【図１１】本発明の第１実施形態の第１変形例に係る識別媒体の構成を示す断面図である。
【図１２】本発明の第１実施形態の第２変形例に係る識別媒体の構成を示す断面図である。
【図１３】本発明の第１実施形態の第３変形例に係る識別媒体の構成を示す断面図である。
【図１４】本発明の第１実施形態の第４変形例に係る識別媒体の構成を示す断面図である。
【図１５】本発明の第１実施形態の第５変形例に係る識別媒体の構成を示す断面図である。
【図１６】本発明の第２実施形態に係る識別媒体の構成を示す断面図である。
【図１７】図１６に示した識別媒体の第２層を第１層から分離した前後における、識別媒体の１次元コードのビット列を示した説明図である。
【図１８】本発明の第２実施形態の第１変形例に係る識別媒体の構成を示す断面図である。
【図１９】図１８に示した識別媒体の第３層を第２層から分離した前後における、識別媒体の１次元コードのビット列を示した説明図である。
【発明を実施するための形態】
【００１７】
以下に、本発明の実施形態を図面を参照して説明する。なお、図面に記載の符号について、同一又は類似の部位には同一又は類似の符号を付している。また、図面に記載の部材は模式的なものであり、現実のものとは異なる。
【００１８】
ここで、以下の実施形態は本発明の技術的思想を具体化するための識別媒体を例示するものであり、本発明の技術的思想は各構成要素の配置等を以下の実施形態に特定するものではない。本発明の技術的思想は、特許請求の範囲内で種々の変更を加えることができる。
【００１９】
（第１実施形態）
図１は、本実施形態に係る読取装置１の構成を示すブロック図である。読取装置１は、真正性が識別されるべき対象物１１に含まれる識別媒体１２から情報を読み取り、読み取った情報を照合して照合結果を表示する。図１に示すように、読取装置１は、センサ２、制御部３、駆動部４、搬送機構５、照射部６、撮像部７、信号処理部８、識別部９、表示部１０を備えている。
【００２０】
センサ２は、対象物１１が読取装置１に挿入されたことを検出すると、検出信号を制御部３に送信する。センサ２の個数は必要に応じて決められ１つ以上設けられている。制御部３は、駆動部４、照射部６、撮像部７、信号処理部８、表示部１０の動作を制御し、各種の演算処理やデータの入出力等の処理を実行するＣＰＵ、ＣＰＵを動作させるためのプログラム等を格納するＲＯＭ、ＣＰＵのワーク領域として使用されるＲＡＭ（いずれも図示略）から構成される。制御部３は、センサ２から検出信号を受信すると、駆動部４を介して搬送機構５を駆動し、対象物１１を順方向（図中の矢印方向）に所定の距離だけ搬送させる。
【００２１】
照射部６は、所定の波長（例えば、４０５ｎｍ又は６５０ｎｍ）のレーザビームを対象物１１の識別媒体１２に所定の角度（入射角）αで照射する。照射部６は、波長４０５ｎｍのレーザビームを照射する場合には青色レーザを有し、波長６５０ｎｍのレーザビームを照射する場合には赤色レーザを有している。なお、青色レーザと赤色レーザの代わりに波長可変レーザを使用してもよい。制御部３は、レーザビームの出力パワーを制御し、所定のタイミングで照射部６からレーザビームを照射させる。
【００２２】
識別媒体１２の裏面に設けられた反射膜により、入射角αで入射したレーザビームは出射角α（０次光）に対して回折角±β（１次光）の回折光として出射する。いま、α＋β＝９０°となるように入射角と回折角を調整すれば、入射角αで照射したレーザビームを識別媒体１２の垂直方向に設置したＣＣＤカメラを有する撮像部７で受光し、２次元パターンを撮像することができる。
【００２３】
制御部３は同期信号を撮像部７に出力し、所定のタイミングで撮像部７に２次元パターンを撮像させる。一方、白色光（太陽光）を照射して読み取る場合には、撮像部７は通常のＣＣＤカメラとして２次元パターンを一括撮像する。
【００２４】
信号処理部８は、撮像部７からの出力信号を受信し、撮像された２次元パターンに所定の画像処理（例えば、ノイズ処理、エッジ処理など）を施す。制御部３は、上記の同期信号を信号処理部８にも出力し、撮像部７での撮像と信号処理部８での信号処理とを同期させる。
【００２５】
識別部９は、信号処理部８からの出力信号を受信し、処理された２次元パターンと予め記憶されている認証パターン（認証情報）とを照合する。なお、制御部３、信号処理部８、識別部９を単一のＣＰＵ、ＲＯＭ、ＲＡＭで構成してもよい。また、識別部９を読取装置１から分離して、有線ＬＡＮ、無線ＬＡＮ、通信回線、通信ケーブル等の伝送経路を介して、識別装置として読取装置１に接続してもよい。
【００２６】
制御部３は、識別部９からの出力信号を受信し、照合結果を表示部１０に表示する。なお、制御部３は、照合結果を表示する代わりに、照合結果に応じた音声や音色を出力してもよい。その後、制御部３は、駆動部４を介して搬送機構５を駆動し、読取装置１から対象物１１を排出する。読取装置１が照合手続に続いて他の手続を行う場合、制御部３は、照合結果に基づいて対象物１１が真正のものであると判定すると、照合結果を表示部１０に表示せずに次の手続を自動的に実行してもよい。
【００２７】
次に、識別媒体１２の構成を説明する。
【００２８】
図２は、本実施形態に係る識別媒体１２の構成を示す断面図である。図３は、図２に示した識別媒体１２の第１層１２１と第２層１２２の１次元コードのビット列を示した説明図である。なお、着色箇所を”１”に無着色箇所を”０”にコードしている。図４は、本実施形態に係る識別媒体１２の第１層１２１に形成された２次元コードの平面図である。図５は、本実施形態に係る識別媒体１２の第２層１２２に形成された２次元コードの平面図である。図６は、本実施形態に係る識別媒体１２の第１層１２１と第２層１２２を重ね合わせた状態での識別媒体１２の２次元コードの平面図である。なお、図３の第１層１２１の１次元コード（００１０１１００１０００１１１００１１１００１）は図４のＡ−Ａ断面に対応しており、図３の第２層１２２の１次元コード（１１０１００１１０１１１０００１１０００１１０）は図５のＢ−Ｂ断面に対応している。
【００２９】
図２に示すように、識別媒体１２は第１層１２１と第２層１２２からなる。第１層１２１は、透明なポリカーボネート（ＰＣ）からなり、対象物１１の表面に設けられる。図４に示すように、第１層１２１には、インク（例えば、顔料）で印刷された２次元コードが形成されている。第２層１２２は、透明なポリカーボネート（ＰＣ）からなり、接着剤１２３で第１層１２１に貼り付けられて第１層１２１に積層される。図５に示すように、第２層１２２には、照射部６から照射される所定の波長のレーザビームの反射率が所定の大きさの素材で印刷された２次元コードが形成されている。例えば、照射部６が波長４０５ｎｍのレーザビームを照射する場合、約３５％の反射率を有する素材で２次元コードが形成され、照射部６が波長６５０ｎｍのレーザビームを照射する場合、約２０％の反射率を有する素材で２次元コードが形成される（図７参照）。接着剤１２３は、第２層１２２を第１層１２１に貼り付けた後に、第２層１２２を第１層１２１から剥がすと、第１層１２１と第２層１２２との再接着を妨げるような素材からなる。加えて、接着剤１２３は、第１層１２１と第２層１２２の屈折率に近い屈折率を有するならばより好ましい。
【００３０】
本実施形態では、第１層１２１の２次元コードは特定の情報を含んでおり、例えば、ＱＲコード、データマトリックスコード、ＰＤＦ４１７、マキシコードなどである。第２層１２２の２次元コードは第１層１２１の２次元コードを隠蔽するためのダミーコードである。第１層１２１に印刷されるインクの色は、第２層１２２に印刷される素材の色と条件等色に設定される。また、第２層１２２にて素材が印刷される位置は、第２層１２２を第１層１２１に積層させた状態で、第１層１２１にてインクが印刷されていない位置の上方に設定される。それゆえ、図６に示すように、第１層１２１と第２層１２２を重ね合わせた状態で、上方から識別媒体１２を見ると、識別媒体１２は、第２層１２２に印刷される素材の色で一面塗られているように見えるため、目視で各層を判別することは困難である。
【００３１】
例えば、波長４０５ｎｍのレーザビーム（青色レーザビーム）が照射部６から照射される場合、第２層１２２の２次元コードを形成する素材として、薄茶色のシリコン化合物（例えば、ＳｉＮ、ＳｉＣ）が採用される。図７に示すように、シリコン化合物は、青色レーザビームに対して所定の大きさの反射率（約３５％）を有するので、シリコン化合物が第２層１２２の２次元コードを形成する素材として好適である。第２層１２２の２次元コードを形成するシリコン化合物は薄茶色を有するので、第１層１２１の２次元コードは薄茶色のインクで形成される。
【００３２】
次に、読取装置１による識別媒体１２の読取方法を説明する。
【００３３】
図８は、本実施形態に係る識別媒体１２の読取方法を説明するフローチャートである。最初に読取装置１が初期化される（ステップＳ１）。読取装置１が初期化されると、制御部３は、センサ２からの検出信号に基づき、対象物１１が読取装置１に挿入されたか否かを判断する（ステップＳ２）。制御部３は、対象物１１が挿入されたと判断すると、駆動部４を介して搬送機構５を駆動し、対象物１１を順方向に所定の距離だけ搬送させる（ステップＳ３）。一方、制御部３は、対象物１１が挿入されていないと判断すると、ステップＳ２の処理に戻る。
【００３４】
制御部３は、対象物１１が所定の距離だけ搬送されると、照射部６から白色光又は所定の波長のレーザビームを対象物１１の識別媒体１２に照射させる（ステップＳ４）。そして、制御部３は、同期信号を撮像部７と信号処理部８に出力して、所定のタイミングで、識別媒体１２からの反射光により投影される２次元コードを撮像部７に撮像させる（ステップＳ５）。信号処理部８は、撮像部７からの出力信号を受信すると、撮像された２次元コードに所定の画像処理を施す（ステップＳ６）。識別部９は、信号処理部８からの出力信号を受信すると、処理された２次元パターンと予め記憶されている認証パターン（認証情報）とを照合する（ステップＳ７）。制御部３は、識別部９からの出力信号を受信すると、照合結果を表示部１０に表示する（ステップＳ８）。
【００３５】
次に、上記の読取方法を用いた対象物１１の真正性を識別する方法を説明する。
【００３６】
本実施形態では、第１層１２１の２次元コード（図４）に対象物１１の認証情報が記録してあり、第２層１２２の２次元コード（図５）に上記の認証情報を隠蔽するためのダミーコードが記録してあることを管理者が予め知っていると想定する。
【００３７】
管理者は、対象物１１の真正性を確認するとき、第２層１２２を第１層１２１から剥がした状態で対象物１１を読取装置１に挿入する。そして、読取装置１は、第１層１２１の２次元コードに記録された認証情報と識別部９に予め記憶された認証情報とを照合して、対象物１１の真正性を識別する。読取装置１が、複数の識別媒体１２から認証情報を読み取り、対象物１１の真正性を識別する場合には、対象物１１を適宜移動させて上記の認証を繰り返す。
【００３８】
読取装置１は、認証時に、白色光又は任意の波長のレーザビームを使用して第１層１２１の２次元コードに記録された認証情報を読み取る。なお、読取装置１が、第２層１２２の２次元コードを形成する素材を透過する割合が所定の大きさの波長のレーザビームを使用して第１層１２１の２次元コードに記録された認証情報を読み取る場合には、第２層１２２を第１層１２１から剥がさなくてもよい。例えば、第２層１２２の２次元コードを形成する素材としてシリコン化合物を採用する場合、図９に示すように、シリコン化合物は、波長６５０ｎｍのレーザビーム（赤色レーザビーム）に対して所定の大きさの透過率（約８０％）を有するので、読取装置１は、第２層１２２を透過する赤色レーザビームを使用して第１層１２１の２次元コードに記録された認証情報を直接読み取る。
【００３９】
本認証の使用例として、１回限り有効の対象物（例えば、商品パッケージ、チケット、カード、金券、証書）の認証が挙げられる。対象物１１の認証情報を記録した第１層１２１の２次元コードを外部から視認できないので、悪意の第三者に対象物１１の認証情報を気付かせないことができる。それゆえ、識別媒体１２は、改竄、偽造、複製が容易ではない識別媒体となる。
【００４０】
一方、第１層１２１の２次元コードと第２層１２２の２次元コードを重ね合わせることにより生成される２次元パターンに対象物１１の認証情報が記録されている場合には、２段階の認証が可能である。なお、上記の２次元パターンに記録された情報と、第１層１２１の２次元コードに記録された情報を組み合わせることにより、１つの認証情報が得られるとしても良い。
【００４１】
２段階認証では、管理者は、対象物１１の真正性を確認するとき、第２層１２２を第１層１２１に貼り付けた状態で対象物１１を読取装置１に挿入する。そして、読取装置１は、第１層１２１の２次元コードと第２層１２２の２次元コードを重ね合わせることにより生成される２次元パターンに記録された認証情報と識別部９に予め記憶された第１認証情報とを照合して、対象物１１の真正性を識別する１回目の認証を行う。
【００４２】
１回目の認証が終わると、読取装置１は、照合結果を表示して対象物１１を排出する。管理者は、対象物１１の真正性を確認すると、第２層１２２を第１層１２１から剥がした状態で対象物１１を読取装置１に再挿入する。なお、読取装置１は、識別媒体１２の２次元コードの照合に成功すると、対象物１１を排出せずに、所定の機構（図示略）を用いて第２層１２２を第１層１２１から剥がしてもよい。そして、読取装置１は、第１層１２１の２次元コードに記録された認証情報と識別部９に予め記憶された第２認証情報とを照合して、対象物１１の真正性を識別する２回目の認証を行う。読取装置１が、複数の識別媒体１２から認証情報を読み取り、対象物１１の真正性を識別する場合には、対象物１１を適宜移動させて２段階認証を繰り返す。また、通常は、第１層１２１の２次元コードと第２層１２２の２次元コードを重ね合わせることにより生成される２次元パターンのみを用いて対象物１１の真正性を識別し、上記の２次元パターンが改竄、偽造、又は複製された疑いがある場合に、第２層１２２を第１層１２１から剥がして、第１層１２１の２次元コードを用いて対象物１１の真正性を識別してもよい。
【００４３】
２段階認証では、読取装置１は、白色光又は第２層１２２の２次元コードを形成する素材で反射する割合が所定の大きさの波長のレーザビームを使用して１回目と２回目の認証を行う。例えば、第２層１２２の２次元コードを形成する素材としてシリコン化合物を採用する場合、読取装置１は、白色光又は青色レーザビームを使用して１回目と２回目の認証を行う。なお、１回目の認証において、読取装置１が第２層１２２の２次元コードに記録された情報のみを読み取る場合には、照射部６から照射されるレーザビームの出力パワー、照射部６と識別媒体１２の間の距離、撮像部７と識別媒体１２の間の距離、各層の厚さは、第１層１２１からの反射光によって生じる明暗パターンに対して、第２層１２２からの反射光による２次元コードを撮像部７が識別可能に撮像できるように設定されている。
【００４４】
また、シリコン化合物の各膜厚に対する青色レーザビームの反射率と赤色レーザビームの透過率は図１０のように変化する。例えば、シリコン化合物の膜厚１５ｎｍに対する青色レーザビームの反射率と赤色レーザビームの透過率はそれぞれ約３０％と約８０％である。それゆえ、第２層１２２の２次元コードを形成する素材として薄い膜厚（例えば、１５ｎｍ）のシリコン化合物を採用し、かつ、照射部６から照射されるレーザビームの出力パワー、照射部６と識別媒体１２の間の距離、撮像部７と識別媒体１２の間の距離を、第１層１２１からの反射光によって生じる明暗パターンに対して、第２層１２２からの反射光による２次元コードを撮像部７が識別可能に撮像できるように設定すれば、第２層１２２を第１層１２１から剥がすことなく、読取装置１は、青色レーザビームを照射して第２層１２２の２次元コードに記録された情報を読み取り、かつ、赤色レーザビームを照射して第１層１２１の２次元コードに記録された情報を読み取ることができる。
【００４５】
２段階認証の使用例として、１回限り有効の対象物（例えば、商品パッケージ、チケット、カード、金券、証書）の認証が挙げられる。対象物１１が商品パッケージの場合、最初に、顧客は陳列された商品パッケージに貼り付けられた第１層１２１の２次元コードと第２層１２２の２次元コードを重ね合わせることにより生成される２次元パターンを用いて商品パッケージの真正性を確認する。そして、その商品パッケージを実際に購入する際に、店員は第２層１２２を第１層１２１から剥がして、第１層１２１の２次元コードを用いて商品パッケージの真正性を確認する。これにより、購入対象の商品パッケージに対して、顧客と店員による相互照合を行うことで、偽造品の被害リスクを減らすことができる。また、対象物１１がチケットの場合、最初に、会場の入口にて、主催者はチケットに貼り付けられた第１層１２１の２次元コードと第２層１２２の２次元コードを重ね合わせることにより生成される２次元パターンを用いてチケットの真正性を確認する。チケットが真正であれば、主催者は参加者の入場を許可して、第２層１２２を第１層１２１から剥がす。そして、参加者が着席する際に、主催者は第１層１２１の２次元コードを用いてチケットの真正性を再度確認する。これにより、チケットに対して、主催者による二重照合を行うことで、不正入場やチケット偽造の被害リスクを減らすことができる。それゆえ、識別媒体１２は、改竄、偽造、複製が容易ではない識別媒体となる。
【００４６】
（第１変形例）
本実施形態の第１変形例を説明する。
【００４７】
図１１は、本変形例に係る識別媒体１２ａの構成を示す断面図である。図１１に示すように、識別媒体１２ａは第１層１２１ａと第２層１２２ａからなる。第１層１２１ａは、白濁又は透明な素材からなり、対象物１１の表面に設けられる。第２層１２２ａは、白濁又は透明な素材からなり、接着剤１２３ａで第１層１２１ａに貼り付けられて第１層１２１ａに積層される。第１層１２１ａと第２層１２２ａのそれぞれの層には、照射部６から所定の波長のレーザビームを入射角αで識別媒体１２ａに照射すると、回折角βの方向に回折光を生成させるホログラムが形成されている。上記のホログラムは、例えばコンピュータ・ジェネレイテッド・ホログラム（ＣＧＨ）である。なお、各層は、異なる波長のレーザビームにより互いに異なる回折角を生成させる複数のホログラムを有してもよい。また、第２層１２２ａは、認証時に第２層１２２ａに照射されるレーザビームの透過率が所定の小ささの素材から構成されても良い。これにより、認証時に、第１層１２１ａからの反射光によって生じる明暗パターンを抑えることができる。接着剤１２３ａは、第２層１２２ａを第１層１２１ａに貼り付けた後に、第２層１２２ａを第１層１２１ａから剥がすと、第１層１２１ａと第２層１２２ａとの再接着を妨げるような素材からなる。
【００４８】
次に、対象物１１の真正性を識別する方法を説明する。
【００４９】
本変形例では、第１層１２１ａと第２層１２２ａのそれぞれのホログラムには、１つ以上の認証情報が記録してあることを管理者が予め知っていると想定する。なお、第１層１２１ａのホログラムに記録された情報と、第２層１２２ａのホログラムに記録された情報を組み合わせることにより、１つの認証情報が得られるとしても良い。
【００５０】
管理者は、対象物１１の真正性を確認するとき、対象物１１を読取装置１に挿入する。そして、読取装置１は、第２層１２２ａのホログラムから回折光を生じさせる波長のレーザビームを使用して、第２層１２２ａのホログラムに記録された認証情報を読み取り、第２層１２２ａのホログラムに記録された認証情報と識別部９に予め記憶された第１認証情報とを照合して、対象物１１の真正性を識別する１回目の認証を行う。ここで、照射部６から照射されるレーザビームの出力パワー、照射部６と識別媒体１２ａの間の距離、撮像部７と識別媒体１２ａの間の距離、各層の厚さは、１回目の認証において、第１層１２１ａからの反射光によって生じる明暗パターンに対して、第２層１２２ａからの回折光を撮像部７が識別可能に撮像できるように設定されている。なお、第２層１２２ａが、１回目の認証時に第２層１２２ａに照射されるレーザビームの透過率が所定の小ささの素材から構成される場合には、照射部６から照射されるレーザビームの出力パワー、照射部６と識別媒体１２ａの間の距離、撮像部７と識別媒体１２ａの間の距離、各層の厚さは、第２層１２２ａからの反射光によって生じる明暗パターンに対して、第２層１２２ａからの回折光を撮像部７が識別可能に撮像できるように設定される。
【００５１】
１回目の認証が終わると、読取装置１は、照合結果を表示して対象物１１を排出する。管理者は、対象物１１の真正性を確認すると、第２層１２２ａを第１層１２１ａから剥がした状態で対象物１１を読取装置１に再挿入する。なお、読取装置１は、第２層１２２ａのホログラムに記録された認証情報の照合に成功すると、対象物１１を排出せずに、所定の機構（図示略）を用いて第２層１２２ａを第１層１２１ａから剥がしてもよい。そして、読取装置１は、第１層１２１ａのホログラムから回折光を生じさせる波長のレーザビームを使用して、第１層１２１ａのホログラムに記録された認証情報を読み取り、第１層１２１ａのホログラムに記録された認証情報と識別部９に予め記憶された第２認証情報とを照合して、対象物１１の真正性を識別する２回目の認証を行う。読取装置１が、複数の識別媒体１２ａから認証情報を読み取り、対象物１１の真正性を識別する場合には、対象物１１を適宜移動させて上記の認証を繰り返す。なお、通常は、第２層１２２ａのホログラムのみを用いて対象物１１の真正性を識別し、第２層１２２ａのホログラムが改竄、偽造、又は複製された疑いがある場合に、第２層１２２ａを第１層１２１ａから剥がして、第１層１２１ａのホログラムを用いて対象物１１の真正性を識別してもよい。
【００５２】
（第２変形例）
本実施形態の第２変形例を説明する。
【００５３】
図１２は、本変形例に係る識別媒体１２ｂの構成を示す断面図である。図１２に示すように、識別媒体１２ｂは第１層１２１ｂと第２層１２２ｂからなる。第１層１２１ｂは、透明なポリカーボネート（ＰＣ）からなり、対象物１１の表面に設けられる。第１層１２１ｂには、インク（例えば、顔料）で印刷された２次元コードが形成されている。第２層１２２ｂは、白濁又は透明な素材からなり、接着剤１２３ｂで第１層１２１ｂに貼り付けられて第１層１２１ｂに積層される。第２層１２２ｂには、照射部６から所定の波長のレーザビームを入射角αで識別媒体１２ｂに照射すると、回折角βの方向に回折光を生成させるホログラムが形成されている。上記のホログラムは、例えばコンピュータ・ジェネレイテッド・ホログラム（ＣＧＨ）である。なお、第２層１２２ｂは、異なる波長のレーザビームにより互いに異なる回折角を生成させる複数のホログラムを有してもよい。また、第２層１２２ｂは、認証時に第２層１２２ｂに照射されるレーザビームの透過率が所定の小ささの素材から構成されても良い。これにより、認証時に、第１層１２１ｂからの反射光によって生じる明暗パターンを抑えることができる。この場合、第１層１２１ｂに印刷されるインクの色を第２層１２２ｂの色に近い色になるように設定すれば、第２層１２２ｂを第１層１２１ｂに積層した状態で、第２層１２２ｂは第１層１２１ｂの２次元コードを隠蔽することができる。接着剤１２３ｂは、第２層１２２ｂを第１層１２１ｂに貼り付けた後に、第２層１２２ｂを第１層１２１ｂから剥がすと、第１層１２１ｂと第２層１２２ｂとの再接着を妨げるような素材からなる。
【００５４】
次に、対象物１１の真正性を識別する方法を説明する。
【００５５】
本変形例では、第１層１２１ｂの２次元コードには１つの認証情報が記録してあり、第２層１２２ｂのホログラムには１つ以上の認証情報が記録してあることを管理者が予め知っていると想定する。なお、第１層１２１ｂの２次元コードに記録された情報と、第２層１２２ｂのホログラムに記録された１つ以上の情報を組み合わせることにより、１つの認証情報が得られるとしても良い。
【００５６】
管理者は、対象物１１の真正性を確認するとき、対象物１１を読取装置１に挿入する。そして、読取装置１は、第２層１２２ｂのホログラムから回折光を生じさせる波長のレーザビームを使用して、第２層１２２ｂのホログラムに記録された認証情報を読み取り、第２層１２２ｂのホログラムに記録された認証情報と識別部９に予め記憶された第１認証情報とを照合して、対象物１１の真正性を識別する１回目の認証を行う。ここで、照射部６から照射されるレーザビームの出力パワー、照射部６と識別媒体１２ｂの間の距離、撮像部７と識別媒体１２ｂの間の距離、各層の厚さは、１回目の認証において、第１層１２１ｂからの反射光によって生じる明暗パターンに対して、第２層１２２ｂからの回折光を撮像部７が識別可能に撮像できるように設定されている。なお、第２層１２２ｂが、１回目の認証時に第２層１２２ａに照射されるレーザビームの透過率が所定の小ささの素材から構成される場合には、照射部６から照射されるレーザビームの出力パワー、照射部６と識別媒体１２ｂの間の距離、撮像部７と識別媒体１２ｂの間の距離、各層の厚さは、第２層１２２ｂからの反射光によって生じる明暗パターンに対して、第２層１２２ｂからの回折光を撮像部７が識別可能に撮像できるように設定される。
【００５７】
１回目の認証が終わると、読取装置１は、照合結果を表示して対象物１１を排出する。管理者は、対象物１１の真正性を確認すると、第２層１２２ｂを第１層１２１ｂから剥がした状態で対象物１１を読取装置１に再挿入する。なお、読取装置１は、第２層１２２ｂのホログラムに記録された認証情報の照合に成功すると、対象物１１を排出せずに、所定の機構（図示略）を用いて第２層１２２ｂを第１層１２１ｂから剥がしてもよい。そして、読取装置１は、白色光又は１回目の認証で使用した波長と同じ又は異なる波長のレーザビームを使用して、第１層１２１ｂの２次元コードに記録された認証情報を読み取り、第１層１２１ｂの２次元コードに記録された認証情報と識別部９に予め記憶された第２認証情報とを照合して、対象物１１の真正性を識別する２回目の認証を行う。読取装置１が、複数の識別媒体１２ｂから認証情報を読み取り、対象物１１の真正性を識別する場合には、対象物１１を適宜移動させて上記の認証を繰り返す。なお、通常は、第２層１２２ｂのホログラムのみを用いて対象物１１の真正性を識別し、第２層１２２ｂのホログラムが改竄、偽造、又は複製された疑いがある場合に、第２層１２２ｂを第１層１２１ｂから剥がして、第１層１２１ｂの２次元コードを用いて対象物１１の真正性を識別してもよい。
【００５８】
（第３変形例）
本実施形態の第３変形例を説明する。
【００５９】
図１３は、本変形例に係る識別媒体１２ｃの構成を示す断面図である。図１３に示すように、識別媒体１２ｃは第１層１２１ｃと第２層１２２ｃからなる。第１層１２１ｃは、白濁又は透明な素材からなり、対象物１１の表面に設けられる。第１層１２１ｃには、照射部６から所定の波長のレーザビームを入射角αで識別媒体１２ｃに照射すると、回折角βの方向に回折光を生成させるホログラムが形成されている。上記のホログラムは、例えばコンピュータ・ジェネレイテッド・ホログラム（ＣＧＨ）である。なお、第１層１２１ｃは、異なる波長のレーザビームにより互いに異なる回折角を生成させる複数のホログラムを有してもよい。第２層１２２ｃは、透明なポリカーボネート（ＰＣ）からなり、接着剤１２３ｃで第１層１２１ｃに貼り付けられて第１層１２１ｃに積層される。第２層１２２ｃには、照射部６から照射される所定の波長のレーザビームの反射率が所定の大きさの素材で印刷された２次元コードが形成されている。接着剤１２３ｃは、第２層１２２ｃを第１層１２１ｃに貼り付けた後に、第２層１２２ｃを第１層１２１ｃから剥がすと、第１層１２２ｃと第２層１２２ｃとの再接着を妨げるような素材からなる。
【００６０】
次に、対象物１１の真正性を識別する方法を説明する。
【００６１】
本変形例では、第１層１２１ｃのホログラムには１つ以上の認証情報が記録してあり、第２層１２２ｃの２次元コードには１つの認証情報が記録してあることを管理者が予め知っていると想定する。なお、第１層１２１ｃのホログラムに記録された１つ以上の情報と、第２層１２２ｃの２次元コードに記録された情報を組み合わせることにより、１つの認証情報が得られるとしても良い。
【００６２】
管理者は、対象物１１の真正性を確認するとき、対象物１１を読取装置１に挿入する。そして、読取装置１は、第２層１２２ｃの２次元コードを形成する素材で反射する割合が所定の大きさの波長のレーザビームを使用して、第２層１２２ｃの２次元コードに記録された認証情報を読み取り、第２層１２２ｃの２次元コードに記録された認証情報と識別部９に予め記憶された第１認証情報とを照合して、対象物１１の真正性を識別する１回目の認証を行う。ここで、照射部６から照射されるレーザビームの出力パワー、照射部６と識別媒体１２ｃの間の距離、撮像部７と識別媒体１２ｃの間の距離、各層の厚さは、１回目の認証において、第１層１２１ｃからの反射光によって生じる明暗パターンに対して、第２層１２２ｃからの反射光による２次元コードを撮像部７が識別可能に撮像できるように設定されている。
【００６３】
１回目の認証が終わると、読取装置１は、照合結果を表示して対象物１１を排出する。管理者は、対象物１１の真正性を確認すると、第２層１２２ｃを第１層１２１ｃから剥がした状態で対象物１１を読取装置１に再挿入する。なお、読取装置１は、第２層１２２ｃの２次元コードに記録された認証情報の照合に成功すると、対象物１１を排出せずに、所定の機構（図示略）を用いて第２層１２２ｃを第１層１２１ｃから剥がしてもよい。そして、読取装置１は、第１層１２１ｃのホログラムから回折光を生じさせる波長のレーザビームを使用して、第１層１２１ｃのホログラムに記録された認証情報を読み取り、第１層１２１ｃのホログラムに記録された認証情報と識別部９に予め記憶された第２認証情報とを照合して、対象物１１の真正性を識別する２回目の認証を行う。読取装置１が、複数の識別媒体１２ｃから認証情報を読み取り、対象物１１の真正性を識別する場合には、対象物１１を適宜移動させて上記の認証を繰り返す。なお、通常は、第２層１２２ｃの２次元コードのみを用いて対象物１１の真正性を識別し、第２層１２２ｃの２次元コードが改竄、偽造、又は複製された疑いがある場合に、第２層１２２ｃを第１層１２１ｃから剥がして、第１層１２１ｃのホログラムを用いて対象物１１の真正性を識別してもよい。
【００６４】
（第４変形例）
本実施形態の第４変形例を説明する。
【００６５】
図１４は、本変形例に係る識別媒体１２ｄの構成を示す断面図である。図１４に示すように、識別媒体１２ｄは、第１層１２１ｄ、第２層１２２ｄ、第３層１２４ｄからなる。
【００６６】
第１層１２１ｄは、透明なポリカーボネート（ＰＣ）からなり、対象物１１の表面に設けられる。第１層１２１ｄには、インク（例えば、顔料）で印刷された２次元コードが形成されている。第２層１２２ｄは、白濁又は透明な素材からなり、接着剤１２３ｄ＿１で第１層１２１ｄに貼り付けられて第１層１２１ｄに積層される。第２層１２２ｄには、照射部６から所定の波長のレーザビームを入射角αで識別媒体１２ｂに照射すると、回折角βの方向に回折光を生成させるホログラムが形成されている。上記のホログラムは、例えばコンピュータ・ジェネレイテッド・ホログラム（ＣＧＨ）である。なお、第２層１２２ｄは、異なる波長のレーザビームにより互いに異なる回折角を生成させる複数のホログラムを有してもよい。また、第２層１２２ｄは、認証時に第２層１２２ｄに照射されるレーザビームの透過率が所定の小ささの素材から構成されても良い。これにより、認証時に、第１層１２１ｄからの反射光によって生じる明暗パターンを抑えることができる。第１層１２１ｄに印刷されるインクの色を第２層１２２ｄの色に近い色になるように設定すれば、第２層１２２ｄを第１層１２１ｄに積層した状態で、第２層１２２ｄは第１層１２１ｄの２次元コードを隠蔽することができる。接着剤１２３ｄ＿１は、第２層１２２ｄを第１層１２１ｄに貼り付けた後に、第２層１２２ｄを第１層１２１ｄから剥がすと、第１層１２１ｄと第２層１２２ｄとの再接着を妨げるような素材からなる。第３層１２４ｄは、透明なポリカーボネート（ＰＣ）からなり、接着剤１２３ｄ＿２で第２層１２２ｄに貼り付けられて第２層１２２ｄに積層される。第３層１２４ｄには、照射部６から照射される所定の波長のレーザビームの反射率が所定の大きさの素材で印刷された２次元コードが形成されている。接着剤１２３ｄ＿２は、第３層１２４ｄを第２層１２２ｄに貼り付けた後に、第３層１２４ｄを第２層１２２ｄから剥がすと、第２層１２２ｄと第３層１２４ｄとの再接着を妨げるような素材からなる。本変形例では、第１層１２１ｄと第３層１２４ｄは、第１実施形態の第１層１２１と第２層１２２にそれぞれ対応するものとして説明する。
【００６７】
次に、対象物１１の真正性を識別する方法を説明する。
【００６８】
本変形例では、第１層１２１ｄの２次元コードには１つの認証情報が記録してあり、第２層１２２ｄのホログラムには１つ以上の認証情報が記録してあり、第３層１２４ｄの２次元コードには第１層１２１ｄの２次元コードに記録された認証情報を隠蔽するためのダミーコードが記録してあることを管理者が予め知っていると想定する。なお、第１層１２１ｄの２次元コードに記録された情報と、第２層１２２ｄのホログラムに記録された１つ以上の情報を組み合わせることにより、１つの認証情報が得られるとしても良い。
【００６９】
管理者は、対象物１１の真正性を確認するとき、第３層１２４ｄを第２層１２２ｄから剥がした状態で対象物１１を読取装置１に挿入する。そして、読取装置１は、読取装置１は、第２層１２２ｄのホログラムから回折光を生じさせる波長のレーザビームを使用して、第２層１２２ｄのホログラムに記録された認証情報を読み取り、第２層１２２ｄのホログラムに記録された認証情報と識別部９に予め記憶された第１認証情報とを照合して、対象物１１の真正性を識別する１回目の認証を行う。ここで、照射部６から照射されるレーザビームの出力パワー、照射部６と識別媒体１２ｄの間の距離、撮像部７と識別媒体１２ｄの間の距離、各層の厚さは、１回目の認証において、第１層１２１ｄからの反射光によって生じる明暗パターンに対して、第２層１２２ｄからの回折光を撮像部７が識別可能に撮像できるように設定されている。なお、第２層１２２ｄが、１回目の認証時に第２層１２２ｄに照射されるレーザビームの透過率が所定の小ささの素材から構成される場合には、照射部６から照射されるレーザビームの出力パワー、照射部６と識別媒体１２ｄの間の距離、撮像部７と識別媒体１２ｄの間の距離、各層の厚さは、第２層１２２ｄからの反射光によって生じる明暗パターンに対して、第２層１２２ｄからの回折光を撮像部７が識別可能に撮像できるように設定されている。
【００７０】
１回目の認証が終わると、読取装置１は、照合結果を表示して対象物１１を排出する。管理者は、対象物１１の真正性を確認すると、第２層１２２ｄを第１層１２１ｄから剥がした状態で対象物１１を読取装置１に再挿入する。なお、読取装置１は、第２層１２２ｄのホログラムに記録された認証情報の照合に成功すると、対象物１１を排出せずに、所定の機構（図示略）を用いて第２層１２２ｄを第１層１２１ｄから剥がしてもよい。そして、読取装置１は、白色光又は１回目の認証で使用した波長と同じ又は異なる波長のレーザビームを使用して、第１層１２１ｄの２次元コードに記録された認証情報を読み取り、第１層１２１ｄの２次元コードに記録された認証情報と識別部９に予め記憶された第２認証情報とを照合して、対象物１１の真正性を識別する２回目の認証を行う。読取装置１が、複数の識別媒体１２ｂから認証情報を読み取り、対象物１１の真正性を識別する場合には、対象物１１を適宜移動させて上記の認証を繰り返す。なお、通常は、第２層１２２ｄのホログラムのみを用いて対象物１１の真正性を識別し、第２層１２２ｄのホログラムが改竄、偽造、又は複製された疑いがある場合に、第２層１２２ｄを第１層１２１ｄから剥がして、第１層１２１ｄの２次元コードを用いて対象物１１の真正性を識別してもよい。
【００７１】
本認証の使用例として、第１実施形態の２段階認証の使用例が挙げられる。本認証では、第１実施形態の２段階認証の利点に加えて、対象物１１の認証情報を記録した第１層１２１ｄの２次元コードを外部から視認できないので、悪意の第三者に対象物１１の認証情報を気付かせないことができる。
【００７２】
一方、第１層１２１ｄの２次元コードと第３層１２４ｄの２次元コードを第２層１２２ｄを介して重ね合わせることにより生成される２次元パターンに対象物１１の認証情報が記録されている場合には、３段階の認証が可能である。なお、上記の２次元パターンに記録された情報と、第１層１２１ｄの２次元コードに記録された情報、及び／又は第２層１２２ｄのホログラムに記録された１つ以上の情報を組み合わせることにより、１つの認証情報が得られるとしても良い。
【００７３】
３段階認証では、管理者は、対象物１１の真正性を確認するとき、第３層１２４ｄを第２層１２２ｄに貼り付けた状態で対象物１１を読取装置１に挿入する。そして、読取装置１は、第１層１２１ｄの２次元コードと第３層１２４ｄの２次元コードを第２層１２２ｄを介して重ね合わせることにより生成される２次元コードに記録された認証情報と識別部９に予め記憶された第１認証情報とを照合して、対象物１１の真正性を識別する１回目の認証を行う。なお、読取装置１が第３層１２４ｄの２次元コードに記録された情報のみを読み取る場合には、照射部６から照射されるレーザビームの出力パワー、照射部６と識別媒体１２ｄの間の距離、撮像部７と識別媒体１２ｄの間の距離、各層の厚さは、１回目の認証において、第１層１２１ｄと第２層１２２ｄからの反射光によって生じる明暗パターンに対して、第３層１２４ｄからの反射光による２次元コードを撮像部７が識別可能に撮像できるように設定されている。
【００７４】
１回目の認証が終わると、読取装置１は、照合結果を表示して対象物１１を排出する。管理者は、対象物１１の真正性を確認すると、第３層１２４ｄを第２層１２２ｄから剥がした状態で対象物１１を読取装置１に再挿入する。なお、読取装置１は、識別媒体１２の２次元コードの照合に成功すると、対象物１１を排出せずに、所定の機構（図示略）を用いて第３層１２４ｄを第２層１２２ｄから剥がしてもよい。そして、読取装置１は、本変形例の２段階認証と同様に、第２層１２２ｄのホログラム記録された認証情報と識別部９に予め記憶された第２認証情報とを照合して、対象物１１の真正性を識別する２回目の認証と、第１層１２１ｄの２次元コードに記録された認証情報と識別部９に予め記憶された第３認証情報とを照合して、対象物１１の真正性を識別する３回目の認証を行う。読取装置１が、複数の識別媒体１２から認証情報を読み取り、対象物１１の真正性を識別する場合には、対象物１１を適宜移動させて３段階認証を繰り返す。また、通常は、第１層１２１ｄの２次元コードと第３層１２４ｄの２次元コードを第２層１２２ｄを介して重ね合わせることにより生成される２次元パターンのみを用いて対象物１１の真正性を識別し、上記の２次元パターンが改竄、偽造、又は複製された疑いがある場合に、第３層１２４ｄを第２層１２２ｄから剥がして、第２層１２２ｄのホログラムを用いて対象物１１の真正性を識別してもよい。
【００７５】
３段階認証では、読取装置１は、白色光又は第３層１２４ｄの２次元コードを形成する素材で反射する割合が所定の大きさの波長のレーザビームを使用して１回目の認証を行い、第２層１２２ｄのホログラムから回折光を生じさせる波長のレーザビームを使用して２回目の認証を行い、白色光又は１及び／又は２回目の認証で使用した波長と同じ又は異なる波長のレーザビームを使用して３回目の認証を行う。例えば、第３層１２４ｄの２次元コードを形成する素材としてシリコン化合物を採用する場合、読取装置１は、白色光又は青色レーザビームを使用して１回目と３回目の認証を行う。また、読取装置１が、第３層１２４ｄの２次元コードを形成する素材を透過する割合が所定の大きさの波長のレーザビームを使用して第１層１２１ｄの２次元コードに記録された認証情報を読み取る場合には、第３層１２４ｄと第２層１２２ｄを第１層１２１ｄから剥がさなくてもよい。例えば、第３層１２４ｄの２次元コードを形成する素材としてシリコン化合物を採用する場合、図９に示すように、シリコン化合物は、波長６５０ｎｍのレーザビーム（赤色レーザビーム）に対して所定の大きさの透過率を有するので、読取装置１は、第３層１２４ｄと第２層１２２ｄを透過する赤色レーザビームを使用して第１層１２１ｄの２次元コードに記録された認証情報を直接読み取る。
【００７６】
３段階認証の使用例として、１回限り有効の対象物（例えば、商品パッケージ、チケット、カード、金券、証書）の認証が挙げられる。対象物１１が商品パッケージの場合、最初に、店員は、業者から納入された商品パッケージに貼り付けられた第１層１２１ｄの２次元コードと第３層１２４ｄの２次元コードを第２層１２２ｄを介して重ね合わせることにより生成される２次元パターンを用いて商品パッケージの真正性を確認する。店員は、商品パッケージが真正であれば、第３層１２４ｄを第２層１２２ｄから剥がす。次に、顧客は、陳列された商品パッケージに貼り付けられた第２層１２２ｄのホログラムを用いて商品パッケージの真正性を確認する。そして、その商品パッケージを実際に購入する際に、店員は第２層１２２ｄを第１層１２１ｄから剥がして、第１層１２１ｄの２次元コードを用いて商品パッケージの真正性を確認する。これにより、購入対象の商品パッケージに対して、顧客と店員による相互照合を行うことで、偽造品の被害リスクを減らすことができる。また、対象物１１がチケットの場合、最初に、会場の入口にて、主催者はチケットに貼り付けられた第１層１２１ｄの２次元コードと第３層１２４ｄの２次元コードを第２層１２２ｄを介して重ね合わせることにより生成される２次元パターンを用いてチケットの真正性を確認する。チケットが真正であれば、主催者は参加者の入場を許可して、第３層１２４ｄを第２層１２２ｄから剥がす。そして、参加者が着席する際に、主催者は第２層１２２ｄのホログラムを用いてチケットの真正性を再度確認する。チケットが真正であれば、主催者は第２層１２２ｄを第１層１２１ｄから剥がす。最後に、イベント終了後に記念品が参加者に配られる際に、主催者は第１層１２１ｄの２次元コードを用いてチケットの真正性を確認する。これにより、チケットに対して、主催者による三重照合を行うことで、不正入場、記念品の不正受取、チケット偽造の被害リスクを減らすことができる。
【００７７】
（第５変形例）
本実施形態の第５変形例を説明する。
【００７８】
図１５は、本変形例に係る識別媒体１２ｅの構成を示す断面図である。図１５に示すように、識別媒体１２ｅは、第１層１２１ｅ、第２層１２２ｅ、第３層１２４ｅからなる。
【００７９】
第１層１２１ｅは、白濁又は透明な素材からなり、対象物１１の表面に設けられる。第１層１２１ｅには、照射部６から所定の波長のレーザビームを入射角αで識別媒体１２ｅに照射すると、回折角βの方向に回折光を生成させるホログラムが形成されている。上記のホログラムは、例えばコンピュータ・ジェネレイテッド・ホログラム（ＣＧＨ）である。なお、第１層１２１ｅは、異なる波長のレーザビームにより互いに異なる回折角を生成させる複数のホログラムを有してもよい。第２層１２２ｅは、透明なポリカーボネート（ＰＣ）からなり、接着剤１２３ｅ＿１で第１層１２１ｅに貼り付けられて第１層１２１ｅに積層される。第２層１２２ｅには、照射部６から照射される所定の波長のレーザビームの反射率が所定の大きさの素材で印刷された２次元コードが形成されている。接着剤１２３ｅ＿１は、第２層１２２ｅを第１層１２１ｅに貼り付けた後に、第２層１２２ｅを第１層１２１ｅから剥がすと、第１層１２１ｅと第２層１２２ｅとの再接着を妨げるような素材からなる。第３層１２４ｅは、白濁又は透明な素材からなり、接着剤１２３ｅ＿２で第２層１２２ｅに貼り付けられて第２層１２２ｅに積層される。第３層１２４ｅには、照射部６から所定の波長のレーザビームを入射角αで識別媒体１２ｅに照射すると、回折角βの方向に回折光を生成させるホログラムが形成されている。上記のホログラムは、例えばコンピュータ・ジェネレイテッド・ホログラム（ＣＧＨ）である。なお、第３層１２４ｅは、異なる波長のレーザビームにより互いに異なる回折角を生成させる複数のホログラムを有してもよい。また、第３層１２４ｅは、認証時に第３層１２４ｅに照射されるレーザビームの透過率が所定の小ささの素材から構成されても良い。これにより、認証時に、第１層１２１ｅと第２層１２２ｅからの反射光によって生じる明暗パターンを抑えることができる。この場合、第３層１２４ｅの色を第２層１２２ｅの２次元コードを形成する素材の色に近い色になるように設定すれば、第３層１２４ｅを第２層１２２ｅに積層した状態で、第３層１２４ｅは第２層１２２ｅの２次元コードを隠蔽することができる。接着剤１２３ｄ＿２は、第３層１２４ｅを第２層１２２ｅに貼り付けた後に、第３層１２４ｅを第２層１２２ｅから剥がすと、第２層１２２ｅと第３層１２４ｅとの再接着を妨げるような素材からなる。
【００８０】
次に、対象物１１の真正性を識別する方法を説明する。
【００８１】
本変形例では、第１層１２１ｅのホログラムには１つ以上の認証情報が記録してあり、第２層１２２ｅの２次元コードには１つの認証情報が記録してあり、第３層１２４ｅのホログラムには１つ以上の認証情報が記録してあることを管理者が予め知っていると想定する。なお、第１層１２１ｅのホログラムに記録された１つ以上の情報と、第２層１２２ｅの２次元コードに記録された情報と、第３層１２４ｅのホログラムに記録された１つ以上の情報を組み合わせることにより、１つの認証情報が得られるとしても良い。
【００８２】
管理者は、対象物１１の真正性を確認するとき、対象物１１を読取装置１に挿入する。そして、読取装置１は、第３層１２４ｅのホログラムから回折光を生じさせる波長のレーザビームを使用して、第３層１２４ｅのホログラムに記録された認証情報を読み取り、第３層１２４ｅのホログラムに記録された認証情報と識別部９に予め記憶された第１認証情報とを照合して、対象物１１の真正性を識別する１回目の認証を行う。ここで、照射部６から照射されるレーザビームの出力パワー、照射部６と識別媒体１２ｅの間の距離、撮像部７と識別媒体１２ｅの間の距離、各層の厚さは、１回目の認証において、第１層１２１ｅと第２層１２２ｅからの反射光によって生じる明暗パターンに対して、第３層１２４ｅからの回折光を撮像部７が識別可能に撮像できるように設定されている。なお、第３層１２４ｅが、１回目の認証時に第３層１２４ｅに照射されるレーザビームの透過率が所定の小ささの素材から構成される場合には、照射部６から照射されるレーザビームの出力パワー、照射部６と識別媒体１２ｅの間の距離、撮像部７と識別媒体１２ｅの間の距離、各層の厚さは、第３層１２４ｅからの反射光によって生じる明暗パターンに対して、第３層１２４ｅからの回折光を撮像部７が識別可能に撮像できるように設定される。
【００８３】
１回目の認証が終わると、読取装置１は、照合結果を表示して対象物１１を排出する。管理者は、対象物１１の真正性を確認すると、第３層１２４ｅを第２層１２２ｅから剥がした状態で対象物１１を読取装置１に再挿入する。なお、読取装置１は、第３層１２４ｅのホログラムに記録された認証情報の照合に成功すると、対象物１１を排出せずに、所定の機構（図示略）を用いて第３層１２４ｅを第２層１２２ｅから剥がしてもよい。そして、読取装置１は、第２層１２２ｅの２次元コードを形成する素材で反射する割合が所定の大きさの波長のレーザビームを使用して、第２層１２２ｅの２次元コードに記録された認証情報を読み取り、第１層１２２ｅの２次元コードに記録された認証情報と識別部９に予め記憶された第２認証情報とを照合して、対象物１１の真正性を識別する２回目の認証を行う。ここで、照射部６から照射されるレーザビームの出力パワー、照射部６と識別媒体１２ｅの間の距離、撮像部７と識別媒体１２ｅの間の距離、各層の厚さは、２回目の認証において、第１層１２１ｅからの反射光によって生じる明暗パターンに対して、第２層１２２ｅからの反射光による２次元コードを撮像部７が識別可能に撮像できるように設定されている。
【００８４】
２回目の認証が終わると、読取装置１は、照合結果を表示して対象物１１を排出する。管理者は、対象物１１の真正性を確認すると、第２層１２２ｅを第１層１２１ｅから剥がした状態で対象物１１を読取装置１に再挿入する。なお、読取装置１は、第２層１２２ｅの２次元コードに記録された認証情報の照合に成功すると、対象物１１を排出せずに、所定の機構（図示略）を用いて第２層１２２ｅを第１層１２１ｅから剥がしてもよい。そして、読取装置１は、第１層１２１ｅのホログラムから回折光を生じさせる波長のレーザビームを使用して、第１層１２１ｅのホログラムに記録された認証情報を読み取り、第１層１２１ｅのホログラムに記録された認証情報と識別部９に予め記憶された第３認証情報とを照合して、対象物１１の真正性を識別する３回目の認証を行う。読取装置１が、複数の識別媒体１２ｃから認証情報を読み取り、対象物１１の真正性を識別する場合には、対象物１１を適宜移動させて上記の認証を繰り返す。
【００８５】
（他の変形例）
本実施形態の他の変形例として、２次元コードを形成した第１乃至３層からなる識別媒体、２次元コードを形成した第１，２層とホログラムを形成した第３層からなる識別媒体、２次元コードを形成した第１層とホログラムを形成した第２，３層からなる識別媒体、ホログラムを形成した第１乃至３層からなる識別媒体、ホログラムを形成した第１，２層と２次元コードを形成した第３層からなる識別媒体、ホログラムを形成した第１層と２次元コードを形成した第２，３層からなる識別媒体が挙げられる。
【００８６】
また、第１実施形態の識別媒体１２、第１乃至５変形例の識別媒体１２ａ−１２ｅ、本変形例の識別媒体を適宜組み合わせて、各層に２次元コード又はホログラムが形成された４層以上からなる識別媒体を作成してもよい。
【００８７】
更に、読取装置１からセンサ２、駆動部４、搬送機構５を取り除いて、読取装置の読取面を手動で移動させて、読取装置に識別媒体から情報を読み取らせてもよい。
【００８８】
（第２実施形態）
図１６は、本実施形態に係る識別媒体２２の構成を示す断面図である。図１７は、図１６に示した識別媒体２２の第２層２２２を第１層２２１から分離した前後における、識別媒体２２の１次元コードのビット列を示した説明図である。なお、第１層２２１の１次元コードを出現させた状態において、断面から見て凸部を”１”に凹部を”０”にコードしている。
【００８９】
図１６に示すように、識別媒体２２は第１層２２１と第２層２２２からなる。第１層２２１は、透明なポリカーボネート（ＰＣ）からなり、対象物１１の表面に設けられる。第１層２２１は、第１部位２２１＿１と第２部位２２１＿２に分離可能な情報層である。第１部位２２１＿１の上面には、物理的な切り込み（微細な段差パターン）で形成された２次元コードが形成されている。第２部位２２１＿２の下面には、第１部位２２１＿１の２次元コードを反転させた、物理的な切り込み（微細な段差パターン）で形成されたダミー２次元コードが形成されている。第２部位２２１＿２の下面を第１部位２２１＿１の上面に重ね合わせると、第２部位２２１＿２は第１部位２２１＿１に噛み合う。第２層２２２は、透明なポリカーボネート（ＰＣ）からなり、接着剤２２３で第１層２２１に貼り付けられて第１層２２１に積層される。第２層２２２は、第１層２２１を保護する透明カバーフィルムである。接着剤２２３は、透明なＵＶ樹脂からなり、ＰＣ等の有機系材料の屈折率に近い屈折率を有している。接着剤２２３はＰＣ等の有機系材料に対して接着性が強いので、第２層２２２を第１層２２１から剥がすと、第２層２２２と第１層２２１の第２部位２２１＿２が第１層２２１の第１部位２２１＿１から分離して、第１部位２２１＿１の上面に形成された２次元コードが出現する。
【００９０】
次に、対象物１１の真正性を識別する方法を説明する。
【００９１】
本実施形態では、第１層２２１の第１部位２２１＿１の２次元コードには１つの認証情報が記録してあることを管理者が予め知っていると想定する。管理者は、対象物１１の真正性を確認するとき、第２層２２２を第１層２２１から剥がして、第１層２２１の第１部位２２１＿１の上面に形成された２次元コードを出現させる。そして、管理者は、第１部位２２１＿１の上面に形成された微細な段差パターンに触れて、第１部位２２１＿１の２次元コードに記録された認証情報と正規の認証情報とを照合して、対象物１１の真正性を識別する。
【００９２】
本認証の使用例として、１回限り有効の対象物（例えば、商品パッケージ、チケット、カード、金券、証書）の認証が挙げられる。第１層２２１、第２層２２２、接着剤２２３は、屈折率がほぼ等しい透明な素材からなるので、第２層２２２を第１層２２１に積層した状態では、対象物１１の認証情報を記録した第１層２２１の２次元コードは外部から視認されない（図１７参照）。それゆえ、悪意の第三者に対象物１１の認証情報を気付かせないことができるので、識別媒体２２は、改竄、偽造、複製が容易ではない識別媒体となる。また、第１層２２１の第１部位２２１＿１の上面に形成される物理的な切り込みを目視で充分に確認できる大きさで形成すれば、段差パターンによって生じた幾何学模様（窪みの数、配列、大きさ）を視認することで、対象物１１の真正性を確認することができる。例えば、識別媒体２２の改造、偽造、複製が疑われる場合に、第２層２２２を第１層２２１から剥がして、第１層２２１の第１部位２２１＿１の上面の幾何学模様を正規の幾何学模様と照合することにより、識別媒体２２の真正性を確認するといった簡易な確認を行うことができる。
【００９３】
（変形例）
本実施形態の変形例を説明する。
【００９４】
図１８は、本変形例に係る識別媒体２２ａの構成を示す断面図である。図１９は、図１８に示した識別媒体２２ａの第３層２２４ａを第２層２２２ａから分離した前後における、識別媒体２２の１次元コードのビット列を示した説明図である。なお、着色箇所を”１”に無着色箇所を”０”にコードしている。
【００９５】
図１８に示すように、識別媒体２２ａは、第１層２２１ａ、第２層２２２ａ、第３層２２４ａからなる。第１層２２１ａは、透明なポリカーボネート（ＰＣ）からなり、対象物１１の表面に設けられる。第１層２２１ａには、インク（例えば、顔料）で印刷された２次元コードが形成されている。第２層２２２ａは、透明なポリカーボネート（ＰＣ）からなり、接着剤２２３ａ＿１で第１層２２１ａに貼り付けられて第１層２２１ａに積層される。第２層２２２ａは、第１部位２２２ａ＿１と第２部位２２２ａ＿２に分離可能な情報層である。第１部位２２２ａ＿１の上面には、物理的な切り込み（微細な段差パターン）で形成された２次元コードが形成されている。第２部位２２２ａ＿２の下面には、第１部位２２２ａ＿１の２次元コードを反転させた、物理的な切り込み（微細な段差パターン）で形成されたダミー２次元コードが形成されている。第２部位２２２ａ＿２の下面を第１部位２２２ａ＿１の上面に重ね合わせると、第２部位２２２ａ＿２は第１部位２２２ａ＿１に噛み合う。第３層２２４ａは、透明なポリカーボネート（ＰＣ）からなり、接着剤２２３ａ＿２で第２層２２２ａに貼り付けられて第２層２２２ａに積層される。第３層２２４ａは、第２層２２２ａを保護する透明カバーフィルムである。接着剤２２３ａ＿１，２２３ａ＿２は、透明なＵＶ樹脂からなり、ＰＣ等の有機系材料の屈折率に近い屈折率を有している。接着剤２２３ａ＿２はＰＣ等の有機系材料に対して接着性が強いので、第３層２２４ａを第２層２２２ａから剥がすと、第３層２２４ａと第２層２２２ａの第２部位２２２ａ＿２が第２層２２２ａの第１部位２２２ａ＿１から分離して、第１部位２２２ａ＿１の上面に形成された２次元コードが出現する。
【００９６】
次に、対象物１１の真正性を識別する方法を説明する。
【００９７】
本変形例では、第１層２２１ａの２次元コードには１つの認証情報が記録してあり、第２層２２２ａの第１部位２２２ａ＿１の２次元コードには１つの認証情報が記録してあることを管理者が予め知っていると想定する。管理者は、対象物１１の真正性を確認するとき、対象物１１を読取装置１に挿入する。そして、読取装置１は、白熱光又は任意のレーザビームを使用して、第１層２２１ａの２次元コードに記録された認証情報を読み取り、第１層２２１ａの２次元コードに記録された認証情報と識別部９に予め記憶された認証情報とを照合して、対象物１１の真正性を識別する。一方で、管理者は、第３層２２４ａを第２層２２２ａから剥がして、第２層２２２ａの第１部位２２２ａ＿１の上面に形成された２次元コードを出現させる。そして、管理者は、第１部位２２２ａ＿１の上面に形成された微細な段差パターンに触れて、第１部位２２２ａ＿１の２次元コードに記録された認証情報と正規の認証情報とを照合して、対象物１１の真正性を識別する。
【００９８】
本認証の使用例として、１回限り有効の対象物（例えば、商品パッケージ、チケット、カード、金券、証書）の認証が挙げられる。第２層２２２ａ、第３層２２４ａ、接着剤２２３ａ＿２は、屈折率がほぼ等しい透明な素材からなるので、第３層２２４ａを第２層２２２ａに積層した状態では、対象物１１の認証情報を記録した第２層２２２ａの２次元コードは外部から視認されない。それゆえ、悪意の第三者に対象物１１の認証情報の一部を気付かせないことができるので、識別媒体２２は、改竄、偽造、複製が容易ではない識別媒体となる。また、第２層２２２ａの第１部位２２２ａ＿１の上面に形成される物理的な切り込みを目視で充分に確認できる大きさで形成すれば、段差パターンによって生じた幾何学模様（窪みの数、配列、大きさ）を視認することで、対象物１１の真正性を確認することができる。例えば、識別媒体２２の改造、偽造、複製が疑われる場合に、第３層２２４ａを第２層２２２ａから剥がして、第２層２２２ａの第１部位２２２ａ＿１の上面の幾何学模様を正規の幾何学模様と照合することにより、識別媒体２２の真正性を確認するといった簡易な確認を行うことができる。
【符号の説明】
【００９９】
１  読取装置
３  制御部
６  照射部
７  撮像部
９  識別部
１１  対象物
１２，１２ａ，１２ｂ，１２ｃ，１２ｄ，１２ｅ  識別媒体
２２，２２ａ  識別媒体
１２１，１２１ａ，１２１ｂ，１２１ｃ，１２１ｄ，１２１ｅ  第１層
１２２，１２２ａ，１２２ｂ，１２２ｃ，１２２ｄ，１２２ｅ  第２層
１２３，１２３ａ，１２３ｂ，１２３ｃ  接着剤
１２３ｄ＿１，１２３ｄ＿２，１２３ｅ＿１，１２３ｅ＿２  接着剤
１２４ｄ，１２４ｅ  第３層
２２１，２２１ａ  第１層
２２２，２２２ａ  第２層
２２３，２２３ａ＿１，２２３ａ＿２  接着剤
２２４ａ  第３層
【図１】
2012173336.tif 000003
【図２】
2012173336.tif 000004
【図３】
2012173336.tif 000005
【図４】
2012173336.tif 000006
【図５】
2012173336.tif 000007
【図６】
2012173336.tif 000008
【図７】
2012173336.tif 000009
【図８】
2012173336.tif 000010
【図９】
2012173336.tif 000011
【図１０】
2012173336.tif 000012
【図１１】
2012173336.tif 000013
【図１２】
2012173336.tif 000014
【図１３】
2012173336.tif 000015
【図１４】
2012173336.tif 000016
【図１５】
2012173336.tif 000017
【図１６】
2012173336.tif 000018
【図１７】
2012173336.tif 000019
【図１８】
2012173336.tif 000020
【図１９】
2012173336.tif 000021